(57)【要約】  【課題】  立てた状態で使用することができ、設置スペースを狭くすることができる工具箱を提供する。  【解決手段】  使用状態では、ほぼ垂直に保持される基板７と、基板７に積層された弾性を有するカバー部材８とによって工具箱を構成する。カバー部材８には、メガネレンチなどの工具の外形に沿って形成された複数の凹部１０が形成され、凹部１０のそれぞれに、工具の一端側に設けられた環状部または切欠部が係合され端部に鍔部が形成されたピン状部材１５が形成されている。工具の一端側に設けられた環状部または切欠部をピン状部材１５に係合し、係合した工具を凹部１０に押し込むことによって、工具の揺動を抑えると共に工具が凹部から外れないように保持する。【選択図】        図３
0003113408.tif 000002
【実用新案登録請求の範囲】
【請求項１】
使用状態では、ほぼ垂直に保持される基板と、
上記基板に積層された弾性を有するカバー部材とを備え、
上記カバー部材には、収納される工具の外形に沿って形成された複数の凹部が形成され、
上記凹部のそれぞれに、端部に鍔部が形成されたピンが形成されたことを特徴とする工具箱。
【請求項２】
上記凹部が部分的に拡大されていることを特徴とする請求項１に記載の工具箱。
【考案の詳細な説明】
【技術分野】
【０００１】
この考案は、レンチ、スパナなどの工具を収納可能な工具箱に関する。
【背景技術】
【０００２】
レンチ、スパナなどの工具を整理するために工具箱が使用されている。工具を使う使用者は、工具箱から所望の工具を取り出して作業を行い、作業後に使用した工具を工具箱に収納することによって、工具の整理整頓を行うことができる。
【０００３】
収納部内に仕切りが設けられた工具箱では、工具を仕切りによって幾つかに分割して工具箱内に収納することができる。例えば、以下の特許文献１には、中皿によって収納部が仕切られた工具箱が記載されている。特許文献１に記載されているような収納部が仕切られた工具箱に工具を収納することによって、仕切られた収納部ごとに工具を整理することができ、使い易さを向上することができる。
【０００４】
【特許文献１】特開２００２−１８６５１２号公報
【０００５】
さらに近年では、引き出し内の収納部に工具の外形を型取った凹部が形成された樹脂成型板が配置された工具箱が使用されている。この工具箱では、工具を成型板の凹部に嵌め込み収納するため、工具を安定して保持することができる。また、形状が適合しない工具は凹部に嵌まらないため、工具の管理が非常に容易となる。例えば、成型板を見るだけで、凹部に収納可能な工具が全て揃っているか否かが分かる。また、常に同じ場所に工具が収納されるため、工具の使用性を向上できる。
【考案の開示】
【考案が解決しようとする課題】
【０００６】
しかしながら、上述した成型板を用いる工具箱は、引き出し内の収納部に工具を寝かせた状態で配置するため、工具箱の設置スペースが大きくなってしまうという問題点があった。工具箱を立てた状態で配置することによって、工具箱を置くスペースを狭くすることができる。
【０００７】
したがって、この考案の目的は、工具箱を立てた状態で使用することができ、設置スペースを狭くすることができる工具箱を提供することにある。
【課題を解決するための手段】
【０００８】
上述した課題を解決するために、この考案は、使用状態では、ほぼ垂直に保持される基板と、
基板に積層された弾性を有するカバー部材とを備え、
カバー部材には、収納される工具の外形に沿って形成された複数の凹部が形成され、
凹部のそれぞれに、端部に鍔部が形成されたピンが形成されたことを特徴とする工具箱である。
【０００９】
凹部は、部分的に拡大されていることことが好ましい。
【００１０】
上述のように構成されたこの考案では、工具の一端側に設けられた環状部または切欠部をピンに係合し、係合した工具を凹部に押し込むことによって、工具の一端側がピンによって支持され、他端側が凹部によって支持される。凹部は、工具の外形に沿って形成されているため、凹部に押し込まれた工具は、揺動が抑えられる。ピンの端部に鍔部が形成されていることによって、工具を凹部から外れないように保持することができる。
【考案の効果】
【００１１】
この考案の工具箱によれば、凹部によって工具の揺動が抑えられると共に、ピンの鍔部によって工具が凹部から外れないように保持できるため、工具箱を立てた状態で使用することができる。
【考案を実施するための最良の形態】
【００１２】
以下、この考案の一実施形態について図面を参照して説明する。図１は、一実施形態による工具箱１の全体的な構成の一例を示す図である。工具箱１は、立てた状態で使用されるもので、本体収納部２と左蓋部３と右蓋部４とから構成されている。
【００１３】
左蓋部３と右蓋部４は、本体収納部２の前面側において左右方向にそれぞれ開閉可能なように取り付けられている。本体収納部２の前面と、左蓋部３および右蓋部４の内面には、工具が嵌め込まれる凹部が設けられている。工具箱１は、この凹部に嵌め込まれた工具を保持することによって、落下しないように工具を収納可能な構成とされている。
【００１４】
これによって、工具箱１は、図示したように、左蓋部３および右蓋部４を開いている状態では、本体収納部２、左蓋部３および右蓋部４に何の工具が収納されているかが前面側から容易に確認できる構造とされている。使用者は、左蓋部３および右蓋部４を開くことによって、工具箱１の凹部に収納可能な工具が入っているか否かを一目で確認することができる。
【００１５】
なお、本体収納部２の蓋体は、図示した左蓋部３と右蓋部４とによるものに限ったものではない。例えば、本体収納部２の蓋体は、上下方向に開閉するように本体収納部２に取り付けられていてもよいし、蓋体の数は、３以上または１以下（蓋体を設けない構成を含む）であってもよい。また、工具箱１は、蓋体に工具を収納しない構造であってもよい。
【００１６】
工具箱１は、底部にキャスター５を有しており、容易に移動できる構造とされている。工具箱１に収納される工具は、凹部に嵌め込まれるため、工具箱１を移動しても工具を安定して保持することができる。また、形状の異なる工具は、凹部に嵌め込めないため、常に決まった場所に工具を収納することができる。これによって、使用者は、工具の出し入れを迅速に行うことができる。
【００１７】
工具箱１は、本体収納部２の前面を構成する立設面に、凹部に嵌め込まれた工具が落下しないように保持する構造を有している。
【００１８】
以下、本体収納部２の前面の工具収納部について説明する。図２は、工具収納部６の凹部の構成の一例である。図２Ａは、工具収納部６の正面図であり、図２Ｂは、図２Ａに示すＸ−Ｘ´間の断面図である。
【００１９】
図２Ｂに示すように、工具収納部６は、基板７にカバー部材８が積層された構造を有している。なお、基板７、カバー部材８および後述するピン状部材は、それぞれの構成材料および形状に適した周知の加工技術によって製造されたものである。
【００２０】
基板７は、ステンレス鋼などを材料とする金属板によって構成されている。基板７は、比較的硬く薄い構造であることが好ましく、工具箱１に取り付けた状態において、容易に変形しない構成とされている。カバー部材８は、ウレタン、ゴムなどの高弾性の材料によって構成されている。このように、カバー部材８は、工具を嵌め込み易いように弾性を有していることが好ましい。具体的には、カバー部材８として、独立気泡ポリエチレンフォーム（三和化工株式会社製）を使用することができる。なお、基板７およびカバー部材８の材料は、特にこれらに限定されるものではなく、合成樹脂材料などであってもよい。また、基板７とカバー部材８の材料を同じとし、基板７とカバー部材８とを一体的に形成してもよい。
【００２１】
カバー部材８は、接着剤などによって基板７の外面に貼り付け固定されており、このカバー部材８によって、収納可能とする工具の外形にほぼ沿った形状の凹部が工具収納部６の外面に形成されている。
【００２２】
工具収納部６のサイズは、例えば横方向が４５０ｍｍとされ、縦方向が８００ｍｍとされる。カバー部材８の厚みは、嵌め込まれた工具が安定する凹部を形成可能な厚みとされる。凹部の深さは、例えば、嵌め込む工具を押し込むことが可能なように、工具の厚みとほぼ同じまたは工具の厚みよりも若干小さい構成とされる。
【００２３】
凹部１０、凹部１１、凹部１２および凹部１３には、それぞれメガネレンチ、コンビネーションレンチ、スパナおよびハンマーが嵌め込まれる。凹部１０、凹部１１および凹部１３は、サイズが異なる複数本のメガネレンチ、コンビネーションレンチ、スパナおよびハンマーがそれぞれ嵌め込まれるように、サイズ毎に形成されている。
【００２４】
これら凹部１０、凹部１１、凹部１２および凹部１３のそれぞれの配置位置は、特に限定されるものではないが、使用者がどの位置に何の工具が収納されるかを容易に認識できるように、同じ種類の工具毎に左右どちらか一方側からサイズが大きい順に並ぶように形成することが好ましい。
【００２５】
また、凹部１０、凹部１１、凹部１２および凹部１３は、図示したような、嵌め込まれる工具の周囲を全体的に支持する構成に限らず、部分的に支持する構成であってもよい。図示した例では、縦向きに工具が嵌め込まれるように凹部１０、凹部１１、凹部１２および凹部１３を形成しているが、工具が嵌め込まれる向きは、これに限ったものではなく、左右どちらかに傾斜していてもよい。また、凹部１０、凹部１１、凹部１２および凹部１３の壁面は、工具が安定するのであれば、特に、底面に対して垂直な面でなくてもよい。
【００２６】
まず、この考案の要部である凹部１０、凹部１１および凹部１２への工具の収納について説明する。凹部１０、凹部１１および凹部１２に嵌め込まれた工具は、ピンによって落下しないように保持される。凹部１０、凹部１１および凹部１２の上端側の底面、すなわち基板７には、取付穴１４が形成されており、この取付穴１４にピン状部材を嵌着することによって、基板７にピンが設けられる。
【００２７】
図３は、ピンが設けられた状態における工具収納部６を示す。図３Ａは、工具収納部６の右上部を部分的に示した図であり、図３Ｂは、図３Ａに示したＹ−Ｙ´間の断面図である。また、図４は、ピン状部材の構成の一例を示す。
【００２８】
ピン状部材１５は、ステンレス鋼などの金属材料からなり、段差状に径を異ならせた構成とされている。ピン状部材１５の材質は、比較的硬いことが好ましい。なお、ピン状部材１５の材料は、特に金属材料に限定されるものではなく、合成樹脂材料などによって構成してもよい。また、ピン状部材１５と基板７の材料を同じとし、ピン状部材１５と基板７とを一体的に形成してもよい。
【００２９】
図４に示すように、ピン状部材１５は、取付部１６と、取付部１６の先端側に位置する係合部１７と、係合部１７の先端側に位置する鍔部１８とから構成されている。
【００３０】
取付部１６は、基板７に設けられた取付穴１４に嵌着される部分である。なお、基板７へのピン状部材１５の取り付け方法は、取付穴１４への取付部１６の嵌着に限ったものではなく、例えば、接着剤や螺合などによって、基板７にピン状部材１５を接合してもよい。
【００３１】
係合部１７は、工具の一端側に設けられている環状部または切欠部が係合される部分である。係合部１７の直径Ａは、環状部または切欠部の形状、大きさなどに基づき適切に選定される。環状部が係合される場合には、環状部が遊挿可能な大きさに選定され、切欠部が係合される場合には、切欠部が嵌入可能な大きさに選定される。
【００３２】
凹部１０に嵌め込まれるメガネレンチは、ボルト、ナットなどが嵌合される環状部が係合部１７に係合され、凹部１２に嵌め込まれるスパナは、ボルト、ナットなどが嵌合される切欠部が係合部１７に係合される。このメガネレンチの環状部とスパナの切欠部とが一端側と他端側とにそれぞれ形成された、凹部１１に嵌め込まれるコンビネーションレンチは、ボルト、ナットなどが嵌合される環状部が係合部１７に係合される。なお、メガネレンチおよびスパナの場合には、両端側のどちらの環状部または切欠部を係合部１７に係合させても構わないが、少なくともサイズが大きい方を係合させるかサイズが小さい方を係合させるかを、工具の種類毎に統一することが好ましい。また、コンビネーションレンチの場合、切欠部側を係合させるとしてもよい。
【００３３】
鍔部１８は、係合部１７よりも大径に構成されている。すなわち、鍔部１８の直径Ｂは、係合部１７の直径Ａよりも大径とされている。鍔部１８の直径Ｂは、環状部が係合される場合には、環状部を挿通可能な大きさとされるが、切欠部が係合される場合には、挿通させる必要がないため、それ以上の大きさとすることができる。
【００３４】
鍔部１８が設けられていることによって、ピン状部材１５から工具の環状部または切欠部が前方側に外れることを防止することができる。これによって、工具の落下を防止することができる。なお、ピン状部材１５は、係合部１７の先端側の周面を段差状に大径とすることによって鍔部１８を形成しているが、鍔部１８の構成は、これに限ったものではなく、係合部１７の先端側の周面を部分的に大径としたり、先端部に向かって徐々に大径となるように構成したりしてもよい。
【００３５】
ピン状部材１５の長さＣは、取付部１６の長さ、カバー部材８の厚み、嵌め込まれる工具の形状などによって工具が安定して保持されるように適切に選定される。
【００３６】
図５は、ピン状部材の構成の他の例を示す。ピン状部材１５´は、ピン状部材１５における取付部１６と係合部１７との間に、係合部１７よりも大径の調整部１９を有した構成とされている。調整部１９は、ピン状部材１５´に係合される環状部または切欠部よりも大径に構成されている。係合部１７の範囲を決定する長さＥは、工具の形状などによって適切に選定される。このようにして、係合部１７を適切な範囲に設けることによって、環状部または切欠部が係合された状態をより安定させることができる。
【００３７】
図示した例では、調整部１９と鍔部１８とが同じ径とされているが、これらの径は異なっていてもよい。また、調整部１９は、取付部１６側の係合部１７の周面を段差状に大径とすることによって形成されているが、調整部１９の構成は、これに限らず、係合部１７の周面を部分的に大径としたり、取付部１６側に向かって徐々に大径となるように構成したりしてもよい。
【００３８】
ピン状部材１５とピン状部材１５´とは、工具の形状によって使い分けることが好ましい。凹部１０に嵌め込まれるメガネレンチは、両端部がそれぞれ反対側に折れ曲がった構造を有するため、係合部１７を長くする必要がある。凹部１１および凹部１２にそれぞれ嵌め込まれるコンビネーションレンチおよびスパナは、この折れ曲がり構造を有していない。そこで、工具箱１は、一例として、凹部１０内の取付穴１４にピン状部材１５を嵌着させ、凹部１１および凹部１２内の取付穴１４にピン状部材１５´を嵌着させている。
【００３９】
なお、基板７に突設させるピンの形状は、工具の環状部または切欠部が係合可能であり、係合された環状部または切欠部が前方に抜けにくい構成であれば、ピン状部材１５やピン状部材１５´に限ったものではない。例えば、ピンの形状は、断面が円形状のものに限らず、多角形状のものであってもよい。また、先端部が屈曲した形状のピンを、先端側が上方に向くように基板７に突設させてもよい。
【００４０】
ここで、凹部１０、凹部１１および凹部１２に工具が嵌め込まれ保持される仕組みについて説明する。図６は、メガネレンチを収納する手順の一例を示す。この収納手順は、ピン状部材１５に環状部が係合される場合に適用される。すなわち、凹部１１にコンビネーションレンチを収納する際も、この手順が適用される。
【００４１】
図６Ａに示すメガネレンチ２０を凹部１０に嵌め込み収納する場合、図６Ｂに示すように、メガネレンチ２０の上端側に形成されている環状部２１を、やや斜め上側からピン状部材１５に近づけ、図６Ｃに示すように、環状部２１をピン状部材１５に掛けるように挿通させる。ピン状部材１５に環状部２１を挿通させたら、メガネレンチ２０の下端側を凹部１０に向かって押し込み、図６Ｄに示すように、メガネレンチ２０を凹部１０に嵌め込む。このようにして凹部１０に嵌め込まれたメガネレンチ２０は、カバー部材８によって揺動が抑えられる。
【００４２】
凹部１０の下端からピン状部材１５の係合部１７の下端までの長さと、メガネレンチ２０の下端から環状部２１の下端までの長さとは、ほぼ同じとされており、メガネレンチ２０は、下端側がカバー部材８によって支持され、上端側がピン状部材１５によって支持される。カバー部材８が弾性材料から構成されている場合には、この弾性によってメガネレンチ２０が押さえられ、安定して保持される。
【００４３】
図７は、メガネレンチ２０の上端側の支持部を拡大した図である。図７Ａは、メガネレンチ２０の上端側の支持部におけるメガネレンチ２０とピン状部材１５とを拡大した図であり、図７Ｂは、図７Ａのピン状部材１５を透視した図である。図示しないメガネレンチ２０の下端側は、カバー部材８によって支持されるため、ピン状部材１５の係合部１７に係合されたメガネレンチ２０の環状部２１は、図７Ｂに示すように、ピン状部材１５の鍔部１８によって、ピン状部材１５から抜けないように支持される。これにより、メガネレンチ２０は、凹部１０から外れて落下しないように保持される。
【００４４】
図８は、スパナを収納する手順の一例を示す。この収納手順は、ピン状部材１５´に切欠部が係合される場合に適用できる。
【００４５】
図８Ａに示すスパナ２２を凹部１２に嵌め込み収納する場合、図８Ｂに示すように、スパナ２２の上端側に形成されている切欠部２３を、斜め下方からピン状部材１５´の係合部１７に係合させる。図８Ｃに示すように、ピン状部材１５´の係合部１７に切欠部２３を係合させたら、スパナ２２の下側を凹部１２に向かって押し込み、図８Ｄに示すように、スパナ２２を凹部１２に嵌め込む。このようにして凹部１２に嵌め込まれたスパナ２２は、カバー部材８によって揺動が抑えられる。
【００４６】
凹部１２の下端からピン状部材１５´の係合部１７の下端までの長さと、スパナ２２の下端から切欠部２３の下端までの長さとは、ほぼ同じとされており、スパナ２２は、下端側がカバー部材８によって支持され、上端側がピン状部材１５´によって支持される。カバー部材８が弾性材料から構成されている場合には、この弾性によってスパナ２２が押さえられ、安定して保持される。
【００４７】
図９は、スパナ２２の上端側の支持部を拡大した図である。図９Ａは、スパナ２２の上端側の支持部におけるスパナ２２とピン状部材１５´とを拡大した図であり、図９Ｂは、図９Ａのピン状部材１５´を透視した図である。図示しないスパナ２２の下端側は、カバー部材８によって支持されるため、ピン状部材１５´の係合部１７に係合されたスパナ２２の切欠部２３は、図９Ｂに示すように、ピン状部材１５´の鍔部１８によって、ピン状部材１５´から抜けないように支持される。これにより、スパナ２２は、凹部１２から外れて落下しないように保持される。
【００４８】
なお、図１０に示すように、スパナ２２のボルトやナットなどが嵌合される切欠部を構成する２本の角部２４の先端部が段差状に形成されている場合には、それに合わせて凹部１２の形状も段差状に設けることが好ましい。これによって、より安定してスパナ２２を保持することができる。このことは、コンビネーションレンチのボルトやナットなどが嵌合される切欠部についても同様である。
【００４９】
次に、図２Ａに示す凹部１３への工具の収納について説明する。凹部１３は、保持部材によって、嵌め込まれた工具が落下しないように保持する構成とされている。
【００５０】
上述したように、凹部１３には、ハンマーが嵌め込まれる。図２Ａに示す凹部２５は、凹部１３に嵌め込まれたハンマーが落下しないように保持するための、図示しない扉状の金具などの保持部材が取り付けられる部分である。すなわち、ハンマーは、凹部１３に部分的に蓋をするような構造によって保持される。なお、凹部２５は、嵌め込まれるハンマーの重心を考慮して凹部１３の上方に設けられている。このように、ハンマーは、凹部１３と保持部材とによって落下しないように安定して保持される。なお、この凹形状と保持部材とにより保持される工具は、ハンマーに限ったものではなく、モンキーレンチ、ドライバー、プライヤーなどの他の工具についても適用することができる。
【００５１】
ところで、凹部１０、凹部１１、凹部１２および凹部１３は、部分的に拡大された構造を有している。この拡大された部分の凹部２６は、嵌め込まれた工具を取り出し易くするために設けられている。図示した例では、凹部２６は、複数個の工具が縦方向に嵌め込まれる各凹部と交差するように横方向に直線状に設けられているが、凹部２６は、使用者が手指を差し入れ、嵌め込まれている工具を取り出し易くできるならば、この形状に限ったものではなく、例えば、個々の凹部に対して設けてもよい。
【００５２】
この考案は、上述したこの考案の実施形態に限定されるものでは無く、この考案の要旨を逸脱しない範囲内で様々な変形や応用が可能である。例えば、上述した一実施形態では、工具箱１は、本体収納部２の前面を構成する立設面に、凹部に嵌め込まれた工具がピンによって落下しないように保持する構造を有していたが、これに限ったものではなく、例えば、本体収納部２の左側面、右側面または後面などを構成する立設面がこの構造を有していてもよいし、左蓋部３および右蓋部４の内面または外面を構成する立設面などがこの構造を有していてもよい。また、これら立設面を組み合わせた複数面がこの構造を有していてもよい。さらに、これら立設面は、工具箱１の設置面に対して垂直な面であることに限らず、傾斜していてもよい。
【００５３】
また、上述したメガネレンチ２０およびスパナ２２は、両端側に環状部または切欠部を有するものであったが、一端側にのみ環状部または切欠部を有するものであってもよい。また、環状部または切欠部は、ボルト、ナットなどが嵌合される部分に限らず、工具が有する他の用途に用いる環状部、切欠部についても適用することができる。
【００５４】
また、凹部とピンとによって保持される工具は、上述したメガネレンチ、コンビネーションレンチおよびスパナに限ったものではなく、少なくとも一端側に環状部または切欠部が設けられているのであれば、モンキーレンチ、ハンマー、ドライバー、プライヤーなどの他の工具についても適用することができる。
【図面の簡単な説明】
【００５５】
【図１】この考案の一実施形態による工具箱の全体的な構成の一例を示す図である。
【図２】工具収納部の凹部の構成の一例を示す図である。
【図３】ピンが設けられた状態の工具収納部の部分的な図である。
【図４】ピン状部材の構成の一例を示す図である。
【図５】ピン状部材の構成の他の例を示す図である。
【図６】メガネレンチを収納する手順の一例を示す図である。
【図７】メガネレンチの上端側の支持部の拡大図である。
【図８】スパナを収納する手順の一例を示す図である。
【図９】スパナの上端側の支持部の拡大図である。
【図１０】段差状の切欠部に対応した凹部の形状の一例を示す図である。
【符号の説明】
【００５６】
１・・・工具箱
２・・・本体収納部
６・・・工具収納部
７・・・基板
８・・・カバー部材
１０，１１，１２，１３，２６・・・凹部
１４・・・取付穴
１５，１５´・・・ピン状部材
１７・・・係合部
１８・・・鍔部
２０・・・メガネレンチ
２１・・・環状部
２２・・・スパナ
２３・・・切欠部
【図１】
0003113408.tif 000003
【図２】
0003113408.tif 000004
【図３】
0003113408.tif 000005
【図４】
0003113408.tif 000006
【図５】
0003113408.tif 000007
【図６】
0003113408.tif 000008
【図７】
0003113408.tif 000009
【図８】
0003113408.tif 000010
【図９】
0003113408.tif 000011
【図１０】
0003113408.tif 000012